(57)【特許請求の範囲】
【請求項１】
噴出ヘッドを装着したエアゾール容器にオーバーキャップを装着した内容物噴出容器であって、
エアゾール容器は、肩部上端に係合環を形成したマウンテンカップを具えており、
オーバーキャップは、押下げキャップと、該押下げキャップを分離可能とした係合キャップとからなり、
押下げキャップは、頂壁と、頂壁に垂設された押下げ筒と、頂壁の下面に垂設されるとともに、下端から延びる切込み部を複数設けた係合筒とを具え、
係合筒の下端には、エアゾール容器のマウンテンカップの係合環の内周側に係合可能な嵌合突部が設けられ、
係合キャップは、上壁と、上壁の下面に垂設された内筒と外縁に垂設された外筒とを具え、
上壁は、リング状の外上壁部と、内上壁部とを具え、
外上壁部と内上壁部は、押下げキャップの係合筒の切込み部に適合する位置で、切断可能な複数のブリッジにより連設され、
内上壁部には、押下げキャップの押下げ筒外周と嵌合する嵌合孔が穿設され、
内筒の下端には、エアゾール容器のマウンテンカップの係合環の外周側に係合する係合突部が設けられ、
係合キャップの上壁のブリッジを切断して押下げキャップを係合キャップから分離し、押下げキャップをエアゾール容器に装着したとき、押下げ筒が噴出ヘッドに当接し、押下げ状態を維持できるようにしたことを特徴とするエアゾール容器のガス抜き機構。
【請求項２】
噴出ヘッドを装着したエアゾール容器にオーバーキャップを装着した内容物噴出容器であって、
エアゾール容器は、肩部上端に係合環を形成したマウンテンカップと、肩部下部の係合部とを具えており、
オーバーキャップは、押下げキャップと、該押下げキャップを分離可能とした係合キャップとからなり、
押下げキャップは、頂壁と、頂壁に垂設された押下げ筒と、頂壁の下面に垂設されるとともに、下端から延びる切込み部を複数設けた係合筒とを具え、
係合筒の下端には、エアゾール容器のマウンテンカップの係合環に係合可能な嵌合突部が設けられ、
係合キャップは、上壁と、上壁の外縁に垂設された外筒とを具え、
上壁は、リング状の外上壁部と、内上壁部とを具え、
外上壁部と内上壁部は、押下げキャップの係合筒の切込み部に適合する位置で、切断可能な複数のブリッジにより連設され、
内上壁部には、押下げキャップの押下げ筒外周と嵌合する嵌合孔が穿設され、
外筒の下端には、エアゾール容器の肩部下部の係合部に係合する係合突条が設けられ、
係合キャップの上壁のブリッジを切断して押下げキャップを係合キャップから分離し、押下げキャップをエアゾール容器に装着したとき、押下げ筒が噴出ヘッドに当接し、押下げ状態を維持できるようにしたことを特徴とするエアゾール容器のガス抜き機構。
【請求項３】
噴出ヘッドを装着したエアゾール容器にオーバーキャップを装着した内容物噴出容器であって、
エアゾール容器は、肩部上端に係合環を形成したマウンテンカップを具えており、
オーバーキャップは、押下げキャップと、該押下げキャップを分離可能とした係合キャップとからなり、
押下げキャップは、頂壁と、頂壁の下面に垂設された押下げ筒を具え、
係合キャップは、内上壁と、内上壁の下面外縁に垂設される内筒と、内上壁の外縁に切断可能な複数のブリッジを介して連設されるリング状の外上壁と、外上壁の外縁に連設された外筒とを具え、
内上壁の中央には、押下げキャップの押下げ筒と嵌合する嵌合孔が穿設され、
内筒の下端には、エアゾール容器のマウンテンカップの係合環の内周側に係合可能な嵌合突部が設けられ、
外筒の下端には、エアゾール容器のマウンテンカップの係合環の外周側に係合する係合突部が設けられ、
押下げキャップの押下げ筒の外周に嵌合した係合キャップの内上壁を、ブリッジを切断して係合キャップの外上壁から切り離し、
内上壁に垂設された内筒をエアゾール容器の係合環に装着することにより、押下げキャップの押下げ筒が噴出ヘッドに当接して噴出ヘッドの押下げ状態を維持するようにしたことを特徴とするエアゾール容器のガス抜き機構。
【請求項４】
噴出ヘッドを装着したエアゾール容器にオーバーキャップを装着した内容物噴出容器であって、
エアゾール容器は、肩部上端に係合環を形成したマウンテンカップと、肩部下部に係合部とを具えており、
オーバーキャップは、押下げキャップと、該押下げキャップを分離可能とした係合キャップとからなり、
押下げキャップは、頂壁と、頂壁の下面に垂設された押下げ筒を具え、
係合キャップは、内上壁と、内上壁の下面外縁に垂設される内筒と、内上壁の外縁に切断可能な複数のブリッジを介して連設されるリング状の外上壁と、外上壁の外縁に連設された外筒とを具え、
内上壁の中央には、押下げキャップの押下げ筒と嵌合する嵌合孔が穿設され、
内筒の下端には、エアゾール容器のマウンテンカップの係合環に係合可能な嵌合突部が設けられ、
外筒の下端には、エアゾール容器の肩部下部の係合部に係合する係合突部が設けられ、
押下げキャップの押下げ筒の外周に嵌合した係合キャップの内上壁を、ブリッジを切断して係合キャップの外上壁から切り離し、
内上壁に垂設された内筒をエアゾール容器の係合環に装着することにより、押下げキャップの押下げ筒が噴出ヘッドに当接して噴出ヘッドの押下げ状態を維持するようにしたことを特徴とするエアゾール容器のガス抜き機構。
【請求項５】
押下げキャップの頂壁の外縁には外筒部が連設され、該外筒部は係合キャップの外上壁の外縁に設けられた段部に係合して、押下げキャップの頂壁下面が係合キャップの上壁上面に係合することを特徴とする請求項１〜４のいずれかに記載のエアゾール容器のガス抜き機構。
【発明の詳細な説明】
【技術分野】
【０００１】
本発明は、エアゾール容器、とくに使用後における容器内の残留ガス抜き取り機構に関するものである。
【背景技術】
【０００２】
噴出ヘッドを装着したエアゾール容器に、噴出ヘッドを保護するオーバーキャップを装着した内容物噴出容器において、使用済みエアゾール容器の残留ガスを抜き取るために、エアゾール容器に装着した肩カバーを取外し、オーバーキャップをエアゾール容器に直接装着することで噴出ヘッドを押下げ位置に維持して残留ガスを抜き取るようにした内容物噴出容器は、従来より知られている（例えば、特許文献１参照）。
【０００３】
また、使用済みエアゾール容器の残留ガスを抜き取るために、オーバーキャップの中央に装着したボタンカップを押下げ、噴出ヘッドを押下げ位置に維持して残留ガスを抜き取るようにした内容物噴出容器は、従来より知られている（例えば、特許文献２参照）。
【先行技術文献】
【特許文献】
【０００４】
【特許文献１】特開２００１−２１５４号公報
【特許文献１】特開２００１−５５２８４号公報
【発明の概要】
【発明が解決しようとする課題】
【０００５】
しかしながら、上記特許文献１記載の内容物噴出容器では、内容物がまだ残っている時に、肩カバーが外れてしまうと、オーバーキャップをエアゾール容器に装着して使用することができなくなるという問題もあった。
上記特許文献２記載の内容物噴出容器でも、内容物がまだ残っている時に、ボタンカップを押下げると噴出ヘッドが押下げられ、内容物が無駄に噴出してしまうという問題があった。
【０００６】
本発明は、上記問題を解決することを課題とし、内容物噴出容器として、内容物がまだ残っている時には、オーバーキャップが噴出ヘッドを押下げることがなく確実に使用でき、使用済みエアゾール容器の残留ガスを抜き取る時には、オーバーキャップの一部を外した後にエアゾール容器の上部に装着し、残留ガスを抜き取るようにしたエアゾール容器のガス抜き機構を提供することを目的とする。
【課題を解決するための手段】
【０００７】
本発明は、上記の課題を解決するため、エアゾール容器のガス抜き機構として、噴出ヘッドを装着したエアゾール容器にオーバーキャップを装着した内容物噴出容器であって、エアゾール容器は、肩部上端に係合環を形成したマウンテンカップを具えており、オーバーキャップは、押下げキャップと、該押下げキャップを分離可能とした係合キャップとからなり、押下げキャップは、頂壁と、頂壁に垂設された押下げ筒と、頂壁の下面に垂設されるとともに、下端から延びる切込み部を複数設けた係合筒とを具え、係合筒の下端には、エアゾール容器のマウンテンカップの係合環の内周側に係合可能な嵌合突部が設けられ、係合キャップは、上壁と、上壁の下面に垂設された内筒と外縁に垂設された外筒とを具え、上壁は、リング状の外上壁部と、内上壁部とを具え、外上壁部と内上壁部は、押下げキャップの係合筒の切込み部に適合する位置で、切断可能な複数のブリッジにより連設され、内上壁部には、押下げキャップの押下げ筒外周と嵌合する嵌合孔が穿設され、内筒の下端には、エアゾール容器のマウンテンカップの係合環の外周側に係合する係合突部が設けられ、係合キャップの上壁のブリッジを切断して押下げキャップを係合キャップから分離し、押下げキャップをエアゾール容器に装着したとき、押下げ筒が噴出ヘッドに当接し、押下げ状態を維持できるようにしたことを特徴とする構成を採用する。
【０００８】
ガス抜き機構の別実施例として、噴出ヘッドを装着したエアゾール容器にオーバーキャップを装着した内容物噴出容器であって、エアゾール容器は、肩部上端に係合環を形成したマウンテンカップと、肩部下部の係合部とを具えており、オーバーキャップは、押下げキャップと、該押下げキャップを分離可能とした係合キャップとからなり、押下げキャップは、頂壁と、頂壁に垂設された押下げ筒と、頂壁の下面に垂設されるとともに、下端から延びる切込み部を複数設けた係合筒とを具え、係合筒の下端には、エアゾール容器のマウンテンカップの係合環に係合可能な嵌合突部が設けられ、係合キャップは、上壁と、上壁の外縁に垂設された外筒とを具え、上壁は、リング状の外上壁部と、内上壁部とを具え、外上壁部と内上壁部は、押下げキャップの係合筒の切込み部に適合する位置で、切断可能な複数のブリッジにより連設され、内上壁部には、押下げキャップの押下げ筒外周と嵌合する嵌合孔が穿設され、外筒の下端には、エアゾール容器の肩部下部の係合部に係合する係合突条が設けられ、係合キャップの上壁のブリッジを切断して押下げキャップを係合キャップから分離し、押下げキャップをエアゾール容器に装着したとき、押下げ筒が噴出ヘッドに当接し、押下げ状態を維持できるようにしたことを特徴とする構成を採用する。
【０００９】
ガス抜き機構の他の実施例として、噴出ヘッドを装着したエアゾール容器にオーバーキャップを装着した内容物噴出容器であって、エアゾール容器は、肩部上端に係合環を形成したマウンテンカップを具えており、オーバーキャップは、押下げキャップと、該押下げキャップを分離可能とした係合キャップとからなり、押下げキャップは、頂壁と、頂壁の下面に垂設された押下げ筒を具え、係合キャップは、内上壁と、内上壁の下面外縁に垂設される内筒と、内上壁の外縁に切断可能な複数のブリッジを介して連設されるリング状の外上壁と、外上壁の外縁に連設された外筒とを具え、内上壁の中央には、押下げキャップの押下げ筒と嵌合する嵌合孔が穿設され、内筒の下端には、エアゾール容器のマウンテンカップの係合環の内周側に係合可能な嵌合突部が設けられ、外筒の下端には、エアゾール容器のマウンテンカップの係合環の外周側に係合する係合突部が設けられ、押下げキャップの押下げ筒の外周に嵌合した係合キャップの内上壁を、ブリッジを切断して係合キャップの外上壁から切り離し、内上壁に垂設された内筒をエアゾール容器の係合環に装着することにより、押下げキャップの押下げ筒が噴出ヘッドに当接して噴出ヘッドの押下げ状態を維持するようにしたことを特徴とする構成を採用する。
【００１０】
ガス抜き機構の他の実施例として、噴出ヘッドを装着したエアゾール容器にオーバーキャップを装着した内容物噴出容器であって、エアゾール容器は、肩部上端に係合環を形成したマウンテンカップと、肩部下部に係合部とを具えており、オーバーキャップは、押下げキャップと、該押下げキャップを分離可能とした係合キャップとからなり、押下げキャップは、頂壁と、頂壁の下面に垂設された押下げ筒を具え、係合キャップは、内上壁と、内上壁の下面外縁に垂設される内筒と、内上壁の外縁に切断可能な複数のブリッジを介して連設されるリング状の外上壁と、外上壁の外縁に連設された外筒とを具え、内上壁の中央には、押下げキャップの押下げ筒と嵌合する嵌合孔が穿設され、内筒の下端には、エアゾール容器のマウンテンカップの係合環に係合可能な嵌合突部が設けられ、外筒の下端には、エアゾール容器の肩部下部の係合部に係合する係合突部が設けられ、押下げキャップの押下げ筒の外周に嵌合した係合キャップの内上壁を、ブリッジを切断して係合キャップの外上壁から切り離し、内上壁に垂設された内筒をエアゾール容器の係合環に装着することにより、押下げキャップの押下げ筒が噴出ヘッドに当接して噴出ヘッドの押下げ状態を維持するようにしたことを特徴とする構成を採用する。
【００１１】
ガス抜き機構の具体的実施例として、押下げキャップの頂壁の外縁には外筒部が連設され、該外筒部は係合キャップの外上壁の外縁に設けられた段部に係合して、押下げキャップの頂壁下面が係合キャップの上壁上面に係合することを特徴とする構成を採用する。
【発明の効果】
【００１２】
噴出ヘッドを装着したエアゾール容器にオーバーキャップを装着した内容物噴出容器において、オーバーキャップを、押下げキャップと係合キャップとから形成し、エアゾール容器のガス抜きの際、係合キャップに対して押下げキャップを廻動させ、押下げキャップを係合キャップから外した後、押下げキャップをエアゾール容器の係合環に装着することにより、押下げキャップが噴出ヘッドの押下げ状態を維持できるようにしたので、エアゾール容器のガス抜きが、簡単にかつ確実に行われるようになった。
【図面の簡単な説明】
【００１３】
【図１】本発明の第１実施例の噴出容器の断面立面図である。
【図２】第１実施例におけるオーバーキャップの説明図で、（ａ）は押下げキャップと係合キャップとの断面立面分解図、（ｂ）は下面図である。
【図３】第１実施例における押下げキャップをエアゾール容器に直接装着した時の断面立面図である。
【図４】本発明の第２実施例の噴出容器の断面立面図である。
【図５】第２実施例におけるオーバーキャップの説明図で、（ａ）は押下げキャップと係合キャップとの断面立面分解図、（ｂ）は下面図である。
【図６】第２実施例における押下げ部材をエアゾール容器に直接装着した時の断面立面図である。
【発明を実施するための形態】
【００１４】
次に、本発明の噴出容器について、実施例をあげ、図面を参照して説明する。
【実施例１】
【００１５】
図１において、Ａはエアゾール容器、Ｂはエアゾール容器Ａに装着された噴出ヘッド、Ｃはエアゾール容器Ａに装着されたオーバーキャップである。
【００１６】
エアゾール容器Ａは、金属製、または合成樹脂製であり、胴部１と、胴部１上端から内側上方に傾斜する肩部２と、肩部２上端に連設されたマウンテンカップ３とを具備している。
マウンテンカップ３は、上部に係合環４を形成し、内方中央には、上端にステム５を突出したエアゾールバルブが取着されている。
【００１７】
噴出ヘッドＢは、合成樹脂によって成形され、エアゾール容器Ａのステム５に装着されており、頂壁１０と、頂壁１０外縁に垂設され、噴出孔１１を配設した側周壁１２とを具えており、頂壁１０は、噴出孔１１の側を高くした傾斜面からなっている。
【００１８】
図１、２に示すように、オーバーキャップＣは、合成樹脂によって成形され、押下げキャップＣ１と、係合キャップＣ２とからなっている。
押下げキャップＣ１は、頂壁３０と、頂壁３０の下面中央に垂設された押下げ筒３１と、頂壁３０の下面に垂設されるとともに、下端から延びる切込み部３２を所定の位置に複数設けた係合筒３３と、頂壁３０の外縁に連設された外筒部３４とを具えている。
【００１９】
押下げ筒３１の外周には、嵌合部３５が設けられている。
係合筒３３の外周下端には、エアゾール容器Ａのマウンテンカップ３の係合環４内周に係合する嵌合突部３６が設けられている。
【００２０】
図２に示すように、係合キャップＣ２は、押下げキャップＣ１の頂壁３０の下面に上面が係合する上壁４０と、上壁４０の下面に垂設された内筒４１と、上壁４０の外縁に押下げキャップＣ１の外筒部３４と係合する段部４２を介して連設された外筒４３とを具えている。
【００２１】
上壁４０は、所定の位置に押下げキャップのＣ１の係合筒３３が挿入するように形成された嵌挿部４４が穿設され、嵌挿部４４により、リング状の外上壁部４５と、外上壁部４５内縁に連設された内上壁部４６が形成されている。
外上壁部４５と内上壁部４６は、嵌挿部４４内で、押下げキャップＣ１の係合筒３３に設けた切込み部３２に適合する位置に設けられた切断可能な複数のブリッジ４７により連設されている。
内上壁部４６の中央には、押下げキャップＣ１の押下げ筒３１外周および嵌合部３５と嵌合する嵌合孔４８が穿設されている。
【００２２】
内筒４１の内周下端には、エアゾール容器Ａのマウンテンカップ３の係合環４外周に係合する係合突部４９が設けられている。
【００２３】
次に、本実施例の噴出容器の使用態様と、作用効果について説明する。
噴出容器の組立は、まず、押下げキャップＣ１の係合筒３３を係合キャップＣ２の上壁４０の嵌挿部４４に上方より挿通させる。
その際、押下げキャップＣ１の係合筒３３に設けた切込み部３２内に、係合キャップＣ２の嵌挿部４４内に設けたブリッジ４７が挿入されていく。
【００２４】
次に、押下げキャップＣ１の押下げ筒３１を、係合キャップＣ２の上壁４０の内上壁部４６の嵌合孔４８に挿入し、嵌合させるとともに、押下げキャップＣ１の頂壁３０下面と係合キャップＣ２の上壁４０上面、および、押下げキャップＣ１の外筒部３４と係合キャップＣ２の段部４２を係合させて、押下げキャップＣ１を係合キャップＣ２に装着したオーバーキャップＣが得られる。
【００２５】
次に、ステム５に噴出ヘッドＢを装着したエアゾール容器Ａの上方にオーバーキャップＣを被せ、エアゾール容器Ａのマウンテンカップ３の係合環４外周に係合キャップＣ２の内筒４１の係合突部４９を係合させ、エアゾール容器Ａの上部にオーバーキャップＣを装着し、閉蓋した噴出容器を得ることができる。
【００２６】
噴出容器の使用にあたっては、係合キャップＣ２の外筒４３を把持してオーバーキャップＣをエアゾール容器Ａから上方に引張って開蓋し、噴出ヘッドＢを押下げ操作して、内容物を噴出孔１１から噴出させることができる。
【００２７】
全内容物の使用後、エアゾール容器Ａ内の残留ガスの抜き取りは、まず、押下げキャップＣ１の外筒部３４の外周を把持し、係合キャップＣ２に対し押下げキャップＣ１を廻動させ、その廻動により、押下げキャップＣ１の係合筒３３に設けた切込み部３２内に係合している係合キャップＣ２の嵌挿部４４内のブリッジ４７が、切込み部３２の廻動により切断され、係合キャップＣ２の上壁４０は、内上壁部４６が外上壁部４５から外される。
【００２８】
内上壁部４６が外れた状態で、押下げキャップＣ１を外筒部３４をつかんで上方に持ち上げると、押下げキャップＣ１は、押下げ筒３１に嵌合された内上壁部４６とともに係合キャップＣ２より外される。
【００２９】
次に、押下げキャップＣ１を直接エアゾール容器Ａの上方に被せ、エアゾール容器Ａのマウンテンカップ３の係合環４の内側に押下げキャップＣ１の係合筒３３の嵌合突部３６を係合させて装着する。
【００３０】
エアゾール容器Ａの上部に押下げキャップＣ１を装着すると、図３に示すように、押下げキャップＣ１の押下げ筒３１の下端面が噴出ヘッドＢの頂壁１０上面に当接し、噴出ヘッドＢを一定の位置まで押下げ、残留ガスの抜き取りが行われる。
残留ガスは、噴出ヘッドＢの噴出孔１１から押下げキャップＣ１内に噴出され、押下げキャップＣ１の切込み部３２を通り、エアゾール容器Ａ外に排出される。
【００３１】
押下げキャップＣ１の係合筒３３の嵌合突部３６と、エアゾール容器Ａのマウンテンカップ３の係合環４との係合が維持され、そのまま放置するだけで、ガスの抜き取りが継続され、エアゾール容器Ａ内の残留ガスや内容物は完全に抜き取られ、エアゾール容器Ａを安全に廃棄することができる。
また、エアゾール容器Ａ内の残留ガスや内容物を完全に抜き取り後、エアゾール容器Ａから押下げキャップＣ１を取外し、分別廃棄することもできる。
【００３２】
上記実施例では、係合キャップＣ２の内筒４１の内周下端に設けた係合突部４９を設けたが、エアゾール容器Ａの肩部２の外縁に係合部を設け、係合キャップＣ２の外筒４３の内周下端に、肩部２の外縁に設けた係合部に係合する係合突条を設けて、エアゾール容器Ａの上部にオーバーキャップＣを装着し、閉蓋するように係合キャップを形成してもよい。
【００３３】
係合キャップＣ２の外筒４３の内周下端に係合突条を設けるのであれば、内筒４１は必要としないので、係合キャップＣ２の成形が簡単なものとなる。
オーバーキャップの係合キャップをエアゾール容器に装着させる構成は、上記実施例の形態に限定されない。
【実施例２】
【００３４】
次に、オーバーキャップの押下げキャップと係合キャップとの装着方法を変えた第２実施例について説明する。
本実施例の第１実施例と同一の構成部分には、同一の符号を付して図示し、詳しい説明を省略する。
【００３５】
図４において、Ａはエアゾール容器、Ｂはエアゾール容器Ａに装着された噴出ヘッド、Ｃｂはエアゾール容器Ａに装着されたオーバーキャップである。
【００３６】
図４、５に示すように、オーバーキャップＣｂは、合成樹脂によって成形され、押下げキャップＣｂ１と、係合キャップＣｂ２とからなっている。
押下げキャップＣｂ１は、頂壁５０と、頂壁５０の下面中央に垂設された押下げ筒５１と、頂壁５０の外縁に連設された外筒部５２とを具えている。
押下げ筒５１の外周には、嵌合部５３が設けられている。
【００３７】
係合キャップＣｂ２は、内上壁５５と、内上壁５５の下面外縁に垂設される内筒５６と、内上壁５５の外縁に、切断可能な複数のブリッジ５７を介して連設されるリング状の外上壁５８と、外上壁５８の外縁に押下げキャップＣｂ１の外筒部５２と係合する段部５９を介して連設された外筒６０とを具えている。
【００３８】
内上壁５５の中央には、押下げキャップＣｂ１の押下げ筒５１外周および嵌合部５３と嵌合する嵌合孔６１が穿設されている。
内筒５６の外周下端には、エアゾール容器Ａのマウンテンカップ３の係合環４内周に係合する嵌合突部６２が設けられている。
外筒６０の内周下端には、エアゾール容器Ａのマウンテンカップ３の係合環４外周に係合する係合突部６３が設けられている。
【００３９】
次に、本実施例の噴出容器の使用態様と、作用効果について説明する。
噴出容器の組立は、まず、押下げキャップＣｂ１の押下げ筒５１を係合キャップＣｂ２の内上壁５５の嵌合孔６１に挿入し、嵌合させるとともに、押下げキャップＣｂ１の頂壁５１下面と係合キャップＣｂ２の内上壁５５と外上壁５８の上面、および、押下げキャップＣｂ１の外筒部５２と係合キャップＣｂ２の段部５９を係合させて、押下げキャップＣｂ１を係合キャップＣｂ２に装着したオーバーキャップＣｂが得られる。
【００４０】
次に、ステム５に噴出ヘッドＢを装着したエアゾール容器Ａの上方にオーバーキャップＣｂを被せ、エアゾール容器Ａのマウンテンカップ３の係合環４外周に係合キャップＣｂ２の外筒６０の係合突部６３を係合させ、エアゾール容器Ａの上部にオーバーキャップＣｂを装着し、閉蓋した噴出容器を得ることができる。
【００４１】
噴出容器の使用にあたっては、係合キャップＣｂ２の外筒６０を把持してオーバーキャップＣｂをエアゾール容器Ａから上方に引張って開蓋し、噴出ヘッドＢを押下げ操作して、内容物を噴出孔１１から噴出させることができる。
【００４２】
残留ガスの抜き取りは、まず、押下げキャップＣｂ１の外筒部５２の外周を把持し、係合キャップＣｂ２に対し押下げキャップＣｂ１を廻動させるか、または引っ張り上げる。
【００４３】
押下げキャップＣｂ１を廻動させるか、または、引っ張り上げると、押下げキャップＣｂ１の押下げ筒５１の外周に嵌合した係合キャップＣｂ２の内上壁５５が、外上壁５８に対して押下げキャップＣｂ１とともに廻動、または、引っ張り上げられることで、ブリッジ５７が切断され、係合キャップＣｂ２の内上壁５８および内筒５６は、外上壁部５８から押下げキャップＣｂ１とともに外され、図６に示すように、係合キャップＣｂ２の内上壁５８および内筒５６と押下げキャップＣｂ１が嵌合した押下げ部材Ｄが形成される。
【００４４】
次に、残りの係合キャップＣｂ２をエアゾール容器Ａから外した後、押下げ部材Ｄをエアゾール容器Ａの上方に被せ、エアゾール容器Ａのマウンテンカップ３の係合環４の内側に内筒５６の嵌合突部６２を係合させて装着する。
【００４５】
エアゾール容器Ａの上部に、押下げ部材Ｄの内筒５６を装着すると、押下げキャップＣｂ１の押下げ筒５１の下端面が噴出ヘッドＢの頂壁１０上面に当接し、噴出ヘッドＢを一定の位置まで押下げ、残留ガスの抜き取りが行われる。
その他、第１実施例と同一の作用効果を得ることができる。
【００４６】
上記実施例では、エアゾール容器Ａの肩部２の外縁に係合部を設け、係合キャップＣｂ２の外筒６０の係合突部６３がエアゾール容器Ａの肩部２の係合部に係合して、閉蓋するようにオーバーキャップＣｂの側部を形成してもよく、オーバーキャップの係合キャップをエアゾール容器に装着させる構成は、上記実施例の形態に限定されない。
【産業上の利用可能性】
【００４７】
本発明は、押下げキャップと係合キャップとからなるオーバーキャップの押下げキャップを係合キャップに対して回転させることで取外し、押下げキャップのみをエアゾール容器の上部に装着することで残留ガスの抜き取りができるので、種々のエアゾール容器のガス抜き機構として広く利用できる。
【符号の説明】
【００４８】
Ａ            エアゾール容器
Ｂ            噴出ヘッド
Ｃ、Ｃｂ      オーバーキャップ 
Ｃ１、Ｃｂ１  押下げキャップ
Ｃ２、Ｃｂ２  係合キャップ
Ｄ            押下げ部材
１            胴部
２            肩部
３            マウンテンカップ
４            係合環
５            ステム
１０          頂壁
１１          噴出孔
１２          側周壁
３０、５０    押下げキャップの頂壁
３１、５１    押下げ筒
３２          切込み部
３３          係合筒
３４、５２    外筒部
３５、５３    嵌合部
３６、６２    嵌合突部
４０          上壁
４１、５６    内筒
４２、５９    段部
４３、６０    外筒
４４          嵌挿部
４５          外上壁部
４６          内上壁部
４７、５７    ブリッジ
４８、６１    嵌合孔
４９、６３    係合突部
５５          内上壁
５８          外上壁
【図１】
0005173005.tif 000002
【図２】
0005173005.tif 000003
【図３】
0005173005.tif 000004
【図４】
0005173005.tif 000005
【図５】
0005173005.tif 000006
【図６】
0005173005.tif 000007